(57)【要約】      （修正有）【課題】該散乱防止用覆いが、壁に張り付くように設置可能であって極めて狭小な場所に設置可能である散乱防止用覆いを供する。【解決手段】  網や布等の布状体１によって筒状体１１を構成し、該筒状体１１を上下に開口するように配し、上部開口部２の一端を所定の高さに位置する設置手段３１によって一定の幅に係着して収集物投入口とし、下部開口部付近を曲折接地させ、該下部開口部を集積物取り出し口とした散乱防止用覆いに於いて、前記上部開口部２の筒状体１１手前側を前記上部開口部２の背面の長さよりも長いものとして弛ませ、該弛んだ開口部２に、握り持つことの出来る握り部４１と該握り部の端部に輪や鈎等である係着部４２を設けて成る係着手段を設けたことを特徴とする散乱防止用覆いを供する。【選択図】図１
2007145521.tif 000002
【特許請求の範囲】
【請求項１】
網や布等の布状体によって筒状体を構成し、該筒状体を上下に開口するように配し、上部開口部の一端を所定の高さに位置する設置手段によって一定の幅に係着して収集物投入口とし、下部開口部付近を曲折接地させ、該下部開口部を集積物取り出し口とした散乱防止用覆いに於いて、前記上部開口部の筒状体手前側を前記上部開口部の背面の長さよりも長いものとして弛ませ、該弛んだ開口部に、握り持つことの出来る握り部と該握り部の端部に輪や鈎等である係着部を設けて成る係着手段を設けたことを特徴とする散乱防止用覆い。
【請求項２】
前記「係着手段」によって前記上部開口部の筒状体手前側の一定の長さを把持し、前記握り部を握り持って手前に引き寄せることにより前記上部開口部の筒状体手前側を前記上部開口部の背面部と平行状態に引き離し可能とし、このことによって開口した面積が筒状体の端部の一点を把持して開口した面積よりも広くすることで集積物の投入をし易くしたことを特徴とする請求項１記載の散乱防止用覆い。
【発明の詳細な説明】
【技術分野】
【０００１】
本発明はごみ集積場等におけるごみの散乱を防止する散乱防止用覆いに関するものである。
【背景技術】
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】実用新案登録３０６９６７１号  実用新案登録３０６９６７１号は、「柔軟な材質のネットを筒状に縫合し、得られる筒状体の開口した一方を上部にしてゴミ投入口とし、開口した他方を下部にしてゴミ収集口とし、前記ゴミ投入口の周縁部のほぼ前周にわたってロープ体を取り付け、また、前記周縁部に吊り具を取り付けたことを特徴とする防鳥ネット」（請求項１）であり、また、「ゴミ投入口を覆う大きさの蓋体を開口自在に取り付けたことを特徴とする防鳥ネット」（請求項６）であり、また、「ゴミ投入口を複数個も受けたことを特徴とする防鳥ネット」（請求項７）である。蓋体を設けずに投入口の開閉を確実に行える簡便な構成の散乱防止用覆いが望まれる。
【０００４】
【特許文献２】特許３５８５１２６号  特許３５８５１２６号の実施例４に、投入口を有する散乱防止用覆いの開口部に引き紐を設けた例が記載されている。該開口部は垂れ下がった状態を「閉鎖状態」とする物であって上部に一定の空間を要すること、開口部の一端を設置手段に係着し該開口部を積極的に閉じることには不向きである。筒状に構成された散乱防止用覆いに於いて単純な構成でありながら積極的且つ確実に開口部を閉鎖できる閉鎖手段が望まれる。
【０００５】
【特許文献３】実用新案登録３０９８７１２号実用新案登録３０９８７１２号に記載された考案は「バスケット（１）の上部の入り口（６）に設ける、布状の蓋（5）において、開閉するためのファスナーを設けた鳥獣よけバスケット」（請求項２）である。該構成は「バスケット１の入り口には、円形の蓋５を取り付けます、蓋を形成する円形の輪の材質には柔らかく弾力性のあるプラスチックを用いて布を張ります、布には開閉のためのファスナー４を設けて鳥獣の侵入を防ぎます、ファスナーは開放されても布がピーンと張った状態では口は思うように開きませんが、ゴミ袋７を乗せて円形の輪を持ち上げると、ゴミの重みで蓋５がＵの字に曲がり、ファスナーの口が大きく開きゴミ袋はバスケットの中に入ります。」というものである。該構成のバスケットは開口部が水平方向に広がるものであって、その設置には一定の面積を要する。極狭小地に於いて壁際に張り付いたように設置する散乱防止用覆いに採用することは無理がある。筒状の散乱防止用覆いに於いて投入口を壁際に張り付くように狭めることの出来る単純な構成の閉鎖手段が望まれる。
【０００６】
【特許文献４】実用新案登録３１０４０８５号  実用新案登録３１０４０８５号は「長方形に裁断したネット（１）の左右側辺部（３）を繋ぎ合わせ、上辺部と下辺部に設けたゴム紐（２）をしぼめ込むことにより提灯の形状をした底のないバスケット（７）を形成し、入り口（４）の部分に口金となる二本の棒（６）を設けたことを特徴とする鳥獣よけバスケット」（請求項１）である。また、「口金となる２本の棒（６）に止め金となるクリップ（５）を設けた請求項１記載の鳥獣よけバスケット」（請求項２）である。
【０００７】
該構成に於いては、図にあるように支柱に該鳥獣よけバスケットを係着した場合、前記の２本の棒によって該バスケットの非拘束部分の一部分である一定の長さを把持することは可能であるが、「握り持つことの出来る把持部」が存在せず、該２本の棒の内の手前側の棒を直接握ることになる。この場合、握り持つ手は、手のひらが下向きになり、手のひらを横向きあるいは上向きにした場合に比べ、腕が握り持ったものを支え上げる力を発揮し難い。当該バスケットは生ゴミ等を収集することを主目的として設けられるのであって、集積された生ゴミの重量はかなりの重さになることが予想され、握りやすく、支え上げることの容易な把持部の存在が望まれる。
【発明の開示】
【発明が解決しようとする課題】
【０００８】
カラス等鳥獣の侵入を確実に阻止でき，散乱防止効果が高く、使い勝手の良い散乱防止用覆いを廉価に供すること。該散乱防止用覆いが、壁に張り付くように設置可能であって極めて狭小な場所に設置可能である散乱防止用覆いを供すること。
【課題を解決するための手段】
【０００９】
網や布等の布状体によって筒状体を構成し、該筒状体を上下に開口するように配し、上部開口部の一端を所定の高さに位置する設置手段によって一定の幅に係着して収集物投入口とし、下部開口部付近を曲折接地させ、該下部開口部を集積物取り出し口とした散乱防止用覆いに於いて、前記上部開口部の筒状体手前側を前記上部開口部の背面の長さよりも長いものとして弛ませ、該弛んだ開口部に、握り持つことの出来る握り部と該握り部の端部に輪や鈎等である係着部を設けて成る係着手段を設けたことを特徴とする散乱防止用覆いを供する。
【００１０】
前記「係着手段」によって前記上部開口部の筒状体手前側の一定の長さを把持し、前記握り部を握り持って手前に引き寄せることにより前記上部開口部の筒状体手前側を前記上部開口部の背面部と平行状態に引き離し可能とし、このことによって開口した面積が筒状体の端部の一点を把持して開口した面積よりも広くすることで集積物の投入をし易くしたことを特徴とする散乱防止用覆いを供する。
【発明の効果】
【００１１】
網や布等の布状体によって筒状体を構成し、該筒状体を上下に開口するように配し、上部開口部の一端を所定の高さに位置する設置手段によって一定の幅に係着して収集物投入口とし、下部開口部付近を曲折接地させ、該下部開口部を集積物取り出し口とした散乱防止用覆いに於いて、前記上部開口部の筒状体手前側を前記上部開口部の背面の長さよりも長いものとして弛ませ、該弛んだ開口部に、握り持つことの出来る握り部と該握り部の端部に輪や鈎等である係着部を設けて成る係着手段を設けたことを特徴とする散乱防止用覆いであるため，次の効果を奏する。
【００１２】
握り持つことの出来る握り部と該握り部の端部に輪や鈎等である係着部を設けて成る係着手段を設けてあるため、開口部にかかる集積物の重量が増しても開口部の開閉が容易に行える。
【００１３】
前記「係着手段」によって前記上部開口部の筒状体手前側の一定の長さを把持し、前記握り部を握り持って手前に引き寄せることにより前記上部開口部の筒状体手前側を前記上部開口部の背面部と平行状態に引き離し可能とし、このことによって開口した面積が筒状体の端部の一点を把持して開口した面積よりも広くすることで集積物の投入をし易くしたことを特徴とする散乱防止用覆いであるため，次の効果を奏する。
【００１４】
否拘束部分と拘束部分を平行状態に引き離し可能であるため、集積物を開口部内に投入する作業がよりスムーズに行われる。
【発明を実施するための最良の形態】
【００１５】
本願発明はカラス等鳥獣の侵入を確実に阻止でき，散乱防止効果が高く、使い勝手の良い散乱防止用覆いを廉価に供すること。該散乱防止用覆い覆いが、壁に張り付くように設置可能であって極めて狭小な場所に設置可能である散乱防止用覆いを供することにある。以下図に基づき具体的に述る。なお，前述の投入口と以降記述の開口部、投入物と集積物はほぼ同義である。また、明細書中の浮設の文言は本件発明の散乱防止用覆いが空中に浮いた状態を意味せず、下端部が接地した状態で、その上部が空中に向かって吊り上げられた状態であることを意味する。
【実施例１】
【００１６】
図１の図Ａは、実施例１の一部断面を含む斜視図である。網や布等の「たわみ」可能な素材である布状体１によって立体的に構成された覆いであり、開口部２を構成する筒状体１１の内、筒状体の端部１１１（開口部）の長さの半分よりも短い距離を筒状体１１の下端に向かって平行移動して得られる領域を背面１１２とする。背面の上端部の両端部２点を係着点とし、設置手段３（本図では横向きの棒状体３１）に設けたフックや輪等の設置用係着手段３２によって係着する。前記係着点は必ずしも固定されていることを意味せず、投入物の投入時に開口部２の手前側が背面１１２の幅よりも長く構成されることを意味する。開口部２の端部手前側に握り部４１と輪や鈎状態等である係着部４２から成る開閉用係着手段４を設け、設置手段３である棒状体３１や設置手段３に設けたフック３３に係着する。
【００１７】
図Ｂは実施例１の側面から見た断面図である。集積物であるゴミ袋５が筒状体１１の裾部１１３を踏みつけることから係着部４２には、かなりの重量がかかる。握り部４１が存在することにより、手の平の向きが横又は上を向いて握ることが出来ることから係着部を支え上げる力が容易に発揮しやすい。握り部がない場合には手のひらが下向きの状態で係着部をつまみ上げるのであるが、この場合には、手の平の向きが横又は上を向いて握るのに比べ、力が発揮しにくい。
【実施例２】
【００１８】
図２は実施例２の斜視図である。前記、係着手段４が前記上部開口部２の開口部の端部１１１の手前側の一定の長さを把持し、前記握り部４１を握り持って手前に引き寄せることにより前記上部開口部２の筒状体１１手前側を前記上部開口部２の背面部１１２と平行状態に引き離し可能とし、このことによって開口した面積が筒状体の端部１１１の一点を把持して開口した面積よりも広くすることで集積物の投入をし易くしたものである。開閉用係着手段４の係着部４２には筒状体の端部１１１の一定の長さが固着してあり、幅広に筒状体を把持できる。本図では係着部４２の両端を設置手段３に間隔をあけて設けた二つのフック３３係着する。フック３３が一つであっても、筒状体の端部１１１の一定の長さを開閉用係着手段４の係着部４２が把持しているので有れば、開口部２の開口する面積を広くするという効果に変わりはない。
【実施例３】
【００１９】
図３は実施例３の斜視図であり、設置手段３を枠状体３０とし、筒状体の端部１１１の一定の長さを把持した開閉用係着手段４の係着部４２を複数個連続して設けた例である。該係着手段４は筒状体１１のたるみ部を間に配しながら次々と連続する。設置手段３である枠状体３０にはフック３３が２個一組として、係着部４２の数に対応した組数が配される。細い路地等に設置する場合、一カ所への投入量を抑えることで集積した状態であっても厚みがでないようにする必要がある。その場合横長に構成する必要があり、次々と投入する位置を変えて投入するのに適した構成といえる。開閉用係着手段４を矩形の枠状体とし、その側部を握り部４１としている。係着部４２は該枠状体の筒状体と接していない部分を当てる。
【００２０】
図４は係着手段４の部分図である。図Ａないし図Ｄは筒状体の端部１１１の一定の長さを開閉用係着手段４の係着部４２が把持した異なる例をそれぞれ示している。図Ａは一つの握り部に二本の針金状体が設けられ、該２本のそれぞれが二つの係止孔４３を通ってそれぞれ輪を形成した例である。図Ｂ一つの握り部に二本の針金状体が設けられ、該２本はそろって、一つの係止孔４３を通り、後に左右に分かれ、それぞれの先端が鈎状体を構成した例である。図Ｃは一つの握り部に二本の針金状体が設けられ、該２本はそろって、一つの係止孔４３を通り、その先端に於いて横に長い係着部４２を形成した例である。図Ｄは一つの輪である係着手段４が二つの係止孔４３を通ることで筒状体の端部１１１の一定の長さを把持した例である。尚図Ｂと図Ｃ様に二本の針金状体が一つの係止孔を通って後に分かれる場合、分かれて伸びた地点で筒状体の端部１１１と係着手段４をくくりつけるなどして筒状体の端部１１１の一定の長さを把持する。
【図面の簡単な説明】
【００２１】
【図１】図Ａ  実施例１の斜視図            図Ｂ  側面から見た断面図
【図２】実施例２の斜視図
【図３】実施例３の斜視図
【図４】係着手段４の部分図
【符号の説明】
【００２２】
１  布状体           
１１  筒状体         
１１１  筒状体の端部 
１１２  背面         
１１３  筒状体の裾部 
２  開口部           
３  設置手段         
３０  枠状体         
３１  棒状体         
３２  設置用係着手段 
３３  フック         
４  開閉用係着手段   
４１  握り部         
４２  係着部         
４３  係止孔         
５  ゴミ袋           
【図１】
2007145521.tif 000003
【図２】
2007145521.tif 000004
【図３】
2007145521.tif 000005
【図４】
2007145521.tif 000006